(57)【特許請求の範囲】
【請求項１】
建物内に設けられた換気ユニットで複数の部屋の換気を行う換気構造であって、
前記換気ユニットは、換気ユニット本体と、屋外の空気を前記換気ユニット本体に導入する外気導入路と、導入された外気を前記建物内部に供給する外気供給路と、この外気供給路に連結され前記建物内の所定の空間に開口した外気供給口とを有し、
前記複数の部屋は、それぞれ前記外気供給口が位置する空間に連通可能とされ、
前記複数の部屋のうち少なくとも１つには、収納空間が設けられているとともに、少なくとも２つの収納空間が仕切壁を介して隣接配置され、これらの隣接配置された収納空間は、前記仕切壁に設けられた連通孔により互いに連通可能とされ、かつ、当該隣接配置された収納空間のうちの１つには、内気を屋外に排出可能な個別排出路が設けられ、
前記隣接配置された収納空間は、前記複数の部屋のうちいずれか１つに備えられた２以上の互いに平面的に隣接する収納部であり、前記個別排出路は、前記連通孔が設けられる仕切り壁と対向配置された外壁に設けられることを特徴とする換気構造。
【請求項２】
建物内に設けられた換気ユニットで複数の部屋の換気を行う換気構造であって、
前記換気ユニットは、換気ユニット本体と、屋外の空気を前記換気ユニット本体に導入する外気導入路と、導入された外気を前記建物内部に供給する外気供給路と、この外気供給路に連結され前記建物内の所定の空間に開口した外気供給口とを有し、
前記複数の部屋は、それぞれ前記外気供給口が位置する空間に連通可能とされ、
前記複数の部屋のうち少なくとも１つには、収納空間が設けられているとともに、少なくとも２つの収納空間が仕切壁を介して隣接配置され、これらの隣接配置された収納空間は、前記仕切壁に設けられた連通孔により互いに連通可能とされ、かつ、当該隣接配置された収納空間のうちの１つには、内気を屋外に排出可能な個別排出路が設けられ、
前記隣接配置された収納空間は、前記複数の部屋のうち異なる２以上の部屋に、それぞれ備えられて互いに平面的に隣接する収納部であり、前記個別排出路は、前記連通孔が設けられる仕切り壁と対向配置された外壁に設けられることを特徴とする換気構造。
【請求項３】
建物内に設けられた換気ユニットで複数の部屋の換気を行う換気構造であって、
前記換気ユニットは、換気ユニット本体と、屋外の空気を前記換気ユニット本体に導入する外気導入路と、導入された外気を前記建物内部に供給する外気供給路と、この外気供給路に連結され前記建物内の所定の空間に開口した外気供給口とを有し、
前記複数の部屋は、それぞれ前記外気供給口が位置する空間に連通可能とされ、
前記複数の部屋のうち少なくとも１つには、収納空間が設けられているとともに、少なくとも２つの収納空間が仕切壁を介して隣接配置され、これらの隣接配置された収納空間は、前記仕切壁に設けられた連通孔により互いに連通可能とされ、かつ、当該隣接配置された収納空間のうちの１つには、内気を屋外に排出可能な個別排出路が設けられ、
前記隣接配置された収納空間は、前記複数の部屋のいずれかに備えられた収納部と、部屋の内部全てが収納空間とされた収納室とで構成され、互いに平面的に隣接する前記収納部および前記収納室であり、前記個別排出路は、前記連通孔が設けられる仕切り壁と対向配置された外壁に設けられることを特徴とする換気構造。
【請求項４】
請求項１から請求項３のいずれかに記載の換気構造において、
前記外気供給路は、単一の経路で前記外気供給口に連結され、
この外気供給口から離れた位置に設置された内気回収口と、この内気回収口に単一の経路で連結され内気を前記換気ユニット本体に回収する内気回収路と、回収された内気を屋外に排出する内気排出路とを備えていることを特徴とする換気構造。
【請求項５】
請求項１から請求項４のいずれかに記載の換気構造において、
前記外気供給路の外気供給口は、前記建物内の共用空間に設けられていることを特徴とする換気構造。
【請求項６】
請求項１から請求項５のいずれかに記載の換気構造において、
前記換気ユニット本体は、前記内気回収路を通じて回収された内気と前記外気導入路を通じて導入された外気との間で熱交換を行う熱交換機能を備えていることを特徴とする換気構造。
【発明の詳細な説明】
【０００１】
【発明の属する技術分野】
本発明は、セントラル換気方式により建物内部の複数の部屋を換気する換気構造に関する。
【０００２】
【背景技術】
図６は、セントラル換気方式により建物内部の複数の部屋を換気する、従来の換気構造が適用された建物の概略模式図を示すものである（特開２０００−３２９３９５号公報の図７）。
従来の換気構造におけるセントラル換気装置１００は、１階の天井部分に大型の換気ユニット本体１１０を１台設置して、建物内に設けられた全ての部屋を換気するものである。
すなわち、セントラル換気装置１００は、１階の天井裏部分つまり２階の床下部分に設置された強制的に空気の流れを形成する１台の大型の換気ユニット本体１１０と、建物の外部の新鮮な空気を部屋内に取り入れるために建物の外部から換気ユニット本体１１０に連通する外気導入配管１２０と、この外気導入配管１２０から導入された空気を換気ユニット本体１１０を介して建物の部屋内に供給する外気供給配管１３０，１５０，１４０とを備えている。
【０００３】
外気供給配管は、１階の各部屋に空気を供給するための１階用外気供給配管１３０と、２階の各部屋に空気を供給するための２階用外気供給配管１４０と、この２階用外気供給配管１４０と１階用外気供給配管１３０とを連結する縦配管１５０とから構成されている。
また、セントラル換気装置１００は、部屋内の空気を換気ユニット本体１１０に回収するために１階天井の略中央から換気ユニット本体１１０に向かって通ずる１本の内気回収配管１６０と、この内気回収配管１６０により部屋内から回収された空気を屋外に排出するために屋外と換気ユニット本体１１０との間に通ずる内気排出配管１７０とを備えている。
【０００４】
このようなセントラル換気装置１００を用いた換気構造によれば、屋外の新鮮な空気が、建物内の各部屋内に吹き出して、各部屋内を通って建物１階の略中央から回収されるので、風量が少なくとも、各部屋内の隅々までくまなく換気ができるという効果がある。
【０００５】
しかし、上記した従来の換気構造では、各部屋ごとに外気供給配管を設けて外気を供給するとともに、１本しかない内気回収配管１６０で各部屋の内気を回収するので、ある部屋に供給された外気は、他の部屋を経由して内気回収配管１６０から回収されることになる。従って、収納空間の換気を行う場合、収納空間ごとに外気供給配管を設け外気を供給しなければならず、ダクト配管の総延長距離が長くなりコストが増大するという問題とともに、収納空間中にある防虫剤の成分等を含んだ空気が部屋に流れ出してしまい、居室空間の快適性が損なわれるという問題がある。
【０００６】
上記の問題を解決するために、収納空間に個別の排気手段を設置する方法がある。このようにすれば、収納空間ごとに外気供給配管を設けなくとも、各収納空間が開口や戸を介して部屋や廊下と連通していれば、部屋や廊下に供給された外気が収納空間に流れ込み、個別の排出手段を通じて屋外に排出されることとなる。従って、各収納空間に外気供給配管を配管する必要が無く、また、収納空間内の空気が部屋に流れ出すこともないので、コストの増大を抑え、居室空間の快適性も維持できる。
【０００７】
【発明が解決しようとする課題】
しかし、上記の方法では、各収納空間までの外気供給配管は少なくできても、個別の排出手段は収納空間ごとに設けねばならず、個別の排出手段の数が多くなるので、設置コストが増大するという問題がある。また、建物の外壁に接した位置にない収納空間において、個別の排出手段を設けるためには、排出経路としてのダクト配管が必要になり、そのダクト配管を配設する手間やコストが増大するという問題がある。
【０００８】
本発明の目的は、低コストで、収納空間を含めた建物内部の換気を行う換気構造を提供することにある。
【０００９】
【課題を解決するための手段】
上記目的を達成するため、本発明の換気構造は、次の構成を採用する。
本発明を図面を参照して説明すると、請求項１に記載の換気構造は、建物１内に設けられた換気ユニット１０で複数の部屋の換気を行う換気構造であって、前記換気ユニットは、換気ユニット本体１１と、屋外の空気を前記換気ユニット本体に導入する外気導入路１２と、導入された外気を前記建物内部に供給する外気供給路１３と、この外気供給路に連結され前記建物内の所定の空間に開口した外気供給口１６とを有し、前記複数の部屋は、それぞれ前記外気供給口が位置する空間に連通可能とされ、前記複数の部屋のうち少なくとも１つには、収納空間が設けられているとともに、少なくとも２つの収納空間が仕切壁２３を介して隣接配置され、これらの隣接配置された収納空間は、前記仕切壁に設けられた連通孔２４により互いに連通可能とされ、かつ、当該隣接配置された収納空間のうちの１つには、内気を屋外に排出可能な個別排出路が設けられ、前記隣接配置された収納空間は、前記複数の部屋のうちいずれか１つに備えられた２以上の互いに平面的に隣接する収納部であり、前記個別排出路は、前記連通孔が設けられる仕切り壁と対向配置された外壁に設けられることを特徴とする。
【００１０】
なお、ここで、「外気導入路および外気供給路」とは、所定長さを有する管で構成されたものに限らず、開口のみで構成された管を有しないものも含まれる。また、「収納空間」とは、部屋の一部または全部に設けられた収納のための空間を意味し、部屋の一部に設けられたものとしては、例えば、押入やクローゼット、ウォークイン・クローゼット等の収納部および、部屋全体を収納のために使用する、納戸や書庫、倉庫等の独立した部屋としての収納室を意味する。
【００１１】
この発明によれば、屋外の新鮮な空気は、外気導入路を通じて換気ユニット本体に導入された後、外気供給路を通じて建物内部に供給される。供給された外気は、外気供給口と連通した建物内の各部屋に流れ込み、部屋の内気と混合され、その一部は部屋に備えられた収納空間に流入した後に、直接に、あるいは、仕切壁に設けられた連通孔から他の収納空間を通って、個別排出路から排出される。よって、各部屋および各収納空間の中をくまなく換気でき、収納空間の内気が居室に流れ出すことがなく居室空間の快適性が維持できる。
また、隣接した収納空間同士を仕切壁に設けた連通孔で連通可能としたことで、個別排出路が設けられていない収納空間の内気も他の収納空間の個別排出路を通じて排出されるから、個別排出路を収納空間ごとに設置しなくてもよいので個別排出路の設置数を削減できる。また、建物外壁に接した位置にない収納空間であっても連通孔を通じて他の収納空間の個別排出路から内気が排出されるから、個別排出路としてのダクト配管を省略できるので、換気構造の設置コストを低減できる。
また、ある１つの部屋に２つ以上の収納部が隣り合って設置されている場合に、各々の収納部に個別排出路を設置しなくても、少なくとも１つの収納部に個別排出路が設けられていれば、個別排出路が設けられていない収納空間の内気も連通孔を通じて排出されるので、個別排出路の設置数を削減しコストを低減できる。
【００１２】
この際、換気構造は、前記外気供給路は、単一の経路で前記外気供給口に連結され、この外気供給口から離れた位置に設置された内気回収口１７と、この内気回収口に単一の経路で連結され内気を前記換気ユニット本体に回収する内気回収路１５と、回収された内気を屋外に排出する内気排出路１４とを備えていることを特徴とする。
【００１３】
なお、ここで、「内気回収路および内気排出路」とは、所定長さを有する管で構成されたものに限らず、開口のみで構成された管を有しないものも含まれる。
また、「単一の」とは、実質的に単一の意であり、その全長に亘って１本の管で構成されるものに限らず、部屋内側端部近傍で枝分かれすることにより、１つの部屋に複数の端部開口が設けられているものや、複数の部屋に各々端部開口が設けられているものも含まれる。
また、「外気供給口から離れた位置」とは、同一の部屋内における離れた位置でもよく、また、外気供給路の外気供給口が設けられた部屋と異なる部屋であってもよい。
【００１４】
この発明によれば、単一の外気供給路から建物内部に供給された外気のうち、個別排出路から排出されなかった残りの内気は、単一の内気回収路を通じて換気ユニット本体に回収され、内気排出路を通じて屋外に排出される。外気供給路および内気回収路をそれぞれ、単一の経路で外気供給口および内気回収口に連結することとしたので、各部屋まで複数の経路でダクト配管を設置した場合と比較して、ダクト配管を省略できるため、換気ユニットの設置コストを低減できる。また、外気供給口と内気回収口とは、互いに離れた位置に設置されるので、外気供給口から供給された外気が建物内部に行き渡る前に内気回収口から回収されることがなく、建物内部の隅々まで換気することができる。
【００１６】
また、本発明の換気構造は、建物内に設けられた換気ユニットで複数の部屋の換気を行う換気構造であって、前記換気ユニットは、換気ユニット本体と、屋外の空気を前記換気ユニット本体に導入する外気導入路と、導入された外気を前記建物内部に供給する外気供給路と、この外気供給路に連結され前記建物内の所定の空間に開口した外気供給口とを有し、前記複数の部屋は、それぞれ前記外気供給口が位置する空間に連通可能とされ、前記複数の部屋のうち少なくとも１つには、収納空間が設けられているとともに、少なくとも２つの収納空間が仕切壁を介して隣接配置され、これらの隣接配置された収納空間は、前記仕切壁に設けられた連通孔により互いに連通可能とされ、かつ、当該隣接配置された収納空間のうちの１つには、内気を屋外に排出可能な個別排出路が設けられ、前記隣接配置された収納空間は、前記複数の部屋のうち異なる２以上の部屋に、それぞれ備えられて互いに平面的に隣接する収納部であり、前記個別排出路は、前記連通孔が設けられる仕切り壁と対向配置された外壁に設けられることを特徴とする。
この発明によれば、屋外の新鮮な空気は、外気導入路を通じて換気ユニット本体に導入された後、外気供給路を通じて建物内部に供給される。供給された外気は、外気供給口と連通した建物内の各部屋に流れ込み、部屋の内気と混合され、その一部は部屋に備えられた収納空間に流入した後に、直接に、あるいは、仕切壁に設けられた連通孔から他の収納空間を通って、個別排出路から排出される。よって、各部屋および各収納空間の中をくまなく換気でき、収納空間の内気が居室に流れ出すことがなく居室空間の快適性が維持できる。
また、隣接した収納空間同士を仕切壁に設けた連通孔で連通可能としたことで、個別排出路が設けられていない収納空間の内気も他の収納空間の個別排出路を通じて排出されるから、個別排出路を収納空間ごとに設置しなくてもよいので個別排出路の設置数を削減できる。また、建物外壁に接した位置にない収納空間であっても連通孔を通じて他の収納空間の個別排出路から内気が排出されるから、個別排出路としてのダクト配管を省略できるので、換気構造の設置コストを低減できる。
また、異なる２つ以上の部屋それぞれに備えられた収納部が隣り合って設置されている場合に、各々の収納部に個別排出路を設置しなくても、少なくとも１つの収納部に個別排出路が設けられていれば、個別排出路が設けられていない収納空間の内気も連通孔を通じて排出されるので、個別排出路の設置数を削減しコストを低減できる。
【００１７】
また、本発明の換気構造は、建物内に設けられた換気ユニットで複数の部屋の換気を行う換気構造であって、前記換気ユニットは、換気ユニット本体と、屋外の空気を前記換気ユニット本体に導入する外気導入路と、導入された外気を前記建物内部に供給する外気供給路と、この外気供給路に連結され前記建物内の所定の空間に開口した外気供給口とを有し、前記複数の部屋は、それぞれ前記外気供給口が位置する空間に連通可能とされ、前記複数の部屋のうち少なくとも１つには、収納空間が設けられているとともに、少なくとも２つの収納空間が仕切壁を介して隣接配置され、これらの隣接配置された収納空間は、前記仕切壁に設けられた連通孔により互いに連通可能とされ、かつ、当該隣接配置された収納空間のうちの１つには、内気を屋外に排出可能な個別排出路が設けられ、前記隣接配置された収納空間は、前記複数の部屋のいずれかに備えられた収納部と、部屋の内部全てが収納空間とされた収納室とで構成され、互いに平面的に隣接する前記収納部および前記収納室であり、前記個別排出路は、前記連通孔が設けられる仕切り壁と対向配置された外壁に設けられることを特徴とする。
この発明によれば、屋外の新鮮な空気は、外気導入路を通じて換気ユニット本体に導入された後、外気供給路を通じて建物内部に供給される。供給された外気は、外気供給口と連通した建物内の各部屋に流れ込み、部屋の内気と混合され、その一部は部屋に備えられた収納空間に流入した後に、直接に、あるいは、仕切壁に設けられた連通孔から他の収納空間を通って、個別排出路から排出される。よって、各部屋および各収納空間の中をくまなく換気でき、収納空間の内気が居室に流れ出すことがなく居室空間の快適性が維持できる。
また、隣接した収納空間同士を仕切壁に設けた連通孔で連通可能としたことで、個別排出路が設けられていない収納空間の内気も他の収納空間の個別排出路を通じて排出されるから、個別排出路を収納空間ごとに設置しなくてもよいので個別排出路の設置数を削減できる。また、建物外壁に接した位置にない収納空間であっても連通孔を通じて他の収納空間の個別排出路から内気が排出されるから、個別排出路としてのダクト配管を省略できるので、換気構造の設置コストを低減できる。
また、部屋に備えられた収納部と部屋全体を収納空間とした収納室とが隣り合って設置されている場合に、各々の収納部および収納室に個別排出路を設置しなくても、少なくとも１つの収納部または収納室に個別排出路が設けられていれば、個別排出路が設けられていない収納空間の内気も連通孔を通じて排出されるので、個別排出路の設置数を削減しコストを低減できる。
【００１８】
請求項５に記載の換気構造は、請求項１から請求項４のいずれかに記載の換気構造において、前記外気供給路の外気供給口は、前記建物内の共用空間１Ｇに設けられていることを特徴とする。
ここで、共用空間とは、原則としては、複数の部屋に連通する空間を意味し、例えば、廊下、ホール、階段等が挙げられるが、大きなリビング、ダイニング等の居室も含まれる。
この発明によれば、外気供給路の外気供給口を建物内の共用空間に設けたので、共用空間に空気を供給することにより、この空気が共用空間に連通する各部屋に容易に流れ込んで換気できるから、換気ユニットの運転効率を向上でき、快適な居住空間を容易に実現できる。
【００１９】
請求項６に記載の換気構造は、請求項１から請求項５のいずれかに記載の換気構造において、前記換気ユニット本体は、前記内気回収路を通じて回収された内気と前記外気導入路を通じて導入された外気との間で熱交換を行う熱交換機能１９を備えていることを特徴とする。
ここで、「熱交換」には、屋外に排出される内気と建物内部に供給される外気とを直接混合させることなく、顕熱と潜熱を同時に交換する全熱交換式のものや顕熱のみを交換する顕熱交換式のものが含まれる。なお、顕熱とは、相変化や化学変化を伴わずに温度変化だけに消費される熱をいい、潜熱とは、主に空気中の水分が温度を変えずに相変化した際に消費される熱をいう。
【００２０】
この発明によれば、換気ユニット本体に回収された内気は、換気ユニット本体内部において、外気導入路を通じて導入された外気と熱交換を行った後、屋外に排出される。例えば、建物内部を暖房した状態において、建物内部から回収された暖かい内気は、熱交換により熱が吸収され、その吸収された熱は、屋外から導入された冷たい外気に加えられる。これにより、建物内部には、屋外より温度が上げられた外気が供給されることとなる。一方、建物内部を冷房した状態において、屋外から導入された暖かい外気は、熱交換により熱が吸収され、この吸収された熱は、建物内部から回収された冷たい内気に加えられる。これにより、建物内部には、屋外より温度が下げられた外気が供給されることとなる。
したがって、内気回収路を通じて換気ユニット本体に回収された内気と、外気導入路を通じて導入された外気との間で熱交換を行うことにより、適切な温度に調節された外気を建物内に供給できるから、快適な居住空間を実現できる。
【００２１】
【発明の実施の形態】
以下、本発明の一実施形態を図面に基づいて詳しく説明する。
図１には、本実施形態に係る換気構造が適用された建物としての一戸建て住宅１の断面図が示されている。
住宅１は、断熱性能および気密性能に優れた２階建の高断熱・高気密住宅であって、換気ユニット１０により住宅１の１階および２階の複数の部屋の換気が行われる。
換気ユニット１０は、１階の天井裏２１に収納された換気ユニット本体１１と、１階の天井裏２１に配設され屋外または建物内部に連通する筒状の配管１２，１３，１４とを備えている。
【００２２】
換気ユニット１０の配管は、住宅１の外部の空気（外気）を建物内部に導入するために、住宅１の屋外から換気ユニット本体１１まで延び、屋外空間と換気ユニット本体１１とを連通する外気導入路としての外気導入配管１２と、建物内部の１箇所から換気ユニット本体１１まで延び、建物内部と換気ユニット本体１１とを連通する外気供給路としての外気供給配管１３と、住宅１の内部の空気（内気）を建物外部に排出するために、換気ユニット本体１１から住宅１の屋外まで延び、換気ユニット本体１１と屋外空間とを連通する内気排出路としての内気排出配管１４とを含んで構成されている。
【００２３】
外気供給配管１３の換気ユニット本体１１と反対の端部には、住宅１の内部に外気を供給する外気供給口としての吹き出し口１６が、１階の天井２２に開口して設けられている。
また、換気ユニット本体１１の直下には天井開口１５が設けられ、この天井開口１５は、換気ユニット本体１１からその直下の天井２２Ａを貫通して設けられた換気ユニット本体１１と建物内部とを連通する内気回収路とされている。天井開口１５の部屋内側には、内気回収路の内気回収口としての吸い込み口１７が形成されている。
また、１階および２階には複数の部屋が設けられ、これらの部屋は、各々吹き出し口１６に連通可能とされ、かつ、部屋内の空気を屋外に排出する個別排出路としての排気ファン１８を備えている。
【００２４】
図２には、住宅１の１階部分の平面図が示されている。
１階部分には、図中下方にリビング・ダイニングルーム１Ａが設けられ、リビング・ダイニングルーム１Ａの図中上方左側にキッチン１Ｂが設けられ、リビング・ダイニングルーム１Ａの図中上方右側に玄関１Ｃが設けられている。そして、玄関１Ｃの図中上方には、洗面所１Ｄと、浴室１Ｅとが設けられている。キッチン１Ｂと浴室１Ｅとの間には、トイレ１Ｆが設けられ、このトイレ１Ｆからリビング・ダイニングルーム１Ａへ向かって延びる共用空間としての廊下１Ｇが設けられている。廊下１Ｇとキッチン１Ｂとの間に１階階段室１Ｈが設けられている。
【００２５】
ここで、吹き出し口１６は、住宅１の内部に設けられた共用空間としての廊下１Ｇの天井裏２１に設けられ、この廊下１Ｇにキッチン１Ｂ、玄関１Ｃ、洗面所１Ｄ、および１階階段室１Ｈが連通されている。また、リビング・ダイニングルーム１Ａおよびトイレ１Ｆは、それぞれ出入口の扉の上部あるいは下部に設けられた通気口を介して、廊下１Ｇに連通されている。浴室１Ｅは、出入口の扉の上部あるいは下部に設けられた通気口を介して、洗面所１Ｄに連通されている。
【００２６】
換気ユニット１０の換気ユニット本体１１は、平面視で、吹き出し口１６から離れた位置、ここでは浴室１Ｅの天井裏２１に設けられている。よって、吸い込み口１７は、浴室１Ｅの天井２２Ａに設けられている。
リビング・ダイニングルーム１Ａには、その図中右側に、収納空間が設けられている。収納空間は、隣接配置された収納部としてのクローゼット１Ｊ，１Ｋであり、これらのクローゼット１Ｊ，１Ｋは、それぞれリビング・ダイニングルーム１Ａに連通し、互いに仕切壁２３で隔てられている。仕切壁２３には、２つのクローゼット１Ｊ，１Ｋを連通する連通孔２４が孔設され、図中下側のクローゼット１Ｊには、仕切壁２３と対向する側の壁に排気ファン１８が設けられている。
また、リビング・ダイニングルーム１Ａのクローゼット１Ｊ，１Ｋと対向する側、キッチン１Ｂ、およびトイレ１Ｆには、廊下１Ｇに通じる開口または扉からできるだけ離れた位置になるように排気ファン１８が設けられている。
【００２７】
図３には、住宅１の２階部分の平面図が示されている。
２階部分には、２つの副寝室２Ａ，２Ｂが図中下方左右に並んで設けられ、これらの副寝室２Ａ，２Ｂの間には、収納空間が設けられている。この収納空間は、隣接配置された収納部としてのクローゼット２Ｃ，２Ｄである。副寝室２Ｂの図中上方には、主寝室２Ｅが設けられている。この主寝室２Ｅの図中上部左側には、収納部としてのウォークイン・クローゼット２Ｆが設けられている。ウォークイン・クローゼット２Ｆの図中下方左側には、収納室としての納戸２Ｇが設けられ、納戸２Ｇと副寝室２Ａとの間には、トイレ２Ｈが設けられ、納戸２Ｇと主寝室２Ｅとの間には、２階階段室２Ｉが設けられている。
【００２８】
ここで、２階階段室２Ｉは、１階階段室１Ｈに連通されており、副寝室２Ａ，２Ｂ、クローゼット２Ｃ，２Ｄ、主寝室２Ｅ、ウォークイン・クローゼット２Ｆ、納戸２Ｇ、およびトイレ２Ｈは、それぞれ出入口の扉の上部あるいは下部に設けられた通気口を介して、２階階段室２Ｉに連通されている。
クローゼット２Ｃ，２Ｄは、互いに仕切壁２３で隔てられ、仕切壁２３には、２つのクローゼット２Ｃ，２Ｄを連通する連通孔２４が孔設され、図中下側のクローゼット２Ｄには、排気ファン１８が設けられている。さらに、ウォークイン・クローゼット２Ｆおよび納戸２Ｇの間も仕切壁２３で隔てられ、仕切壁２３には、連通孔２４が孔設され、納戸２Ｇには、排気ファン１８が設けられている。
また、トイレ２Ｈにも、排気ファン１８が設けられている。
【００２９】
図４には、換気ユニット本体１１の拡大した断面図が示されている。
換気ユニット本体１１の内部には、図示しない２台の送風機と全熱交換器１９が設けられている。
送風機は、電動モーターと、この電動モーターにより回転する多数の羽根とからなり、回転する羽根により発生する強制的な空気の流れを利用して、配管の内部の空気を強制的に移動させるものである。すなわち、外気導入配管１２から導入された外気を外気供給配管１３に向かって、あるいは、吸い込み口１７から回収された内気を内気排出配管１４に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
なお、２台の送風機のうちの一方は、外気を建物内部に導入する外気導入用の送風機であり、他方は、内気を屋外に排出するための内気排出用の送風機である。
【００３０】
換気ユニット本体１１の吸い込み口１７には、内気排出量を調節できるシャッター装置３０が設置されており、吸い込み口１７は、天井２２Ａに設けられた天井開口１５の内側に、下方にスリット状の開口を有するカバー部材３１を備えている。このカバー部材３１の内側には、カバー部材３１のスリット状の開口と同形状で、左右（図４中両矢印で示す）にスライド自在なスリット部材３２が設置されている。
これらのカバー部材３１およびスリット部材３２の他に、図示しないスライド用モーターや制御回路、センサー等を含んでシャッター装置３０は構成されている。このシャッター装置３０は、必要に応じてスリット部材３２をスライドさせることで、吸い込み口１７を全開から全閉までの間で所定の開度にすることができ、吸い込む内気の量を調節することで内気排出配管１４へ送られる内気の量を調節するものである。
【００３１】
全熱交換器１９は、吸い込み口１７から吸い込まれて回収され、内気排出配管１４を通じて屋外へ排出される内気と、外気導入配管１２から導入されて吹き出し口１６から廊下１Ｇへ供給される外気との間で熱交換を行うものである。
具体的には、熱伝導率が大きな金属や樹脂等からなるストロー状の極細薄肉円筒管を多数、配列した構造を有している。屋外に排出される内気と住宅１内部に供給される外気とのいずれか一方をストロー状の円筒管の内部を通過させ、他方をその円筒管の周囲を通過させることにより、屋外に排出される内気および住宅１内部に供給される外気のうち、温度が高い方の熱が薄肉円筒管を介して温度が低い方に伝えられることとなり、熱交換が行われる。
なお、全熱交換の方式は、上述した構造に限定されることなく、熱交換機能を有するものであれば、他の構造からなるものでもよい。
【００３２】
図５には、吹き出し口１６の拡大断面図が示されている。
吹き出し口１６は、グリル４１を備え、このグリル４１は、外気供給配管１３の部屋内側の先端が接続される円筒状のグリル本体４２を備えている。このグリル本体４２は、上端面側が塞がれ、下端側が開口されて吹き出し口となっている。この吹き出し口は、図には示されていないが、四方に空気が吹き出すように、直径の異なる複数の環状整流羽根が同心位置に設けられたルーバー状となっている。
【００３３】
次に、本実施形態に係る換気ユニット１０の動作について説明する。
換気ユニット本体１１の２台の送風機を駆動させると、新鮮な外気は、外気導入配管１２を通じて換気ユニット本体１１に導入された後、外気供給配管１３を通じて吹き出し口１６から住宅１の内部に供給される。
供給された外気は、吹き出し口１６が設けられた廊下１Ｇに連通される１階の各部屋、および２階階段室２Ｉ、１階階段室１Ｈを介して廊下１Ｇに連通される２階の各部屋に流れ込み、部屋の内気と混合される。このうち一部の内気は、各部屋に設けられた排気ファン１８から屋外に排出される（図１〜図３中黒矢印で示す）。
また一部の内気は、部屋に備えられたクローゼット１Ｊ，１Ｋ，２Ｃ，２Ｄやウォークイン・クローゼット２Ｆに流れ込む。クローゼット１Ｋ，２Ｃおよびウォークイン・クローゼット２Ｆに流れ込んだ内気は、それぞれ連通孔２４を通ってクローゼット１Ｊ，２Ｄおよび納戸２Ｇに流入し、それらの内気と共に排気ファン１８から屋外に排出される（図１〜図３中黒矢印で示す）。
【００３４】
一方、排気ファン１８から排出されなかった内気は、その一部が天井開口１５を通じて換気ユニット本体１１に回収される（図１〜図２中白矢印で示す）。この際、シャッター装置３０によって吸い込み口１７の開度を大きくすれば、換気ユニット本体１１に回収される内気の量は増え、相対的に各部屋の排気ファン１８から排出される内気の量は少なくなる。反対に、吸い込み口１７の開度を小さくすれば、換気ユニット本体１１に回収される内気の量は少なくなるので、相対的に各部屋の排気ファン１８から排出される内気の量は増える。
【００３５】
換気ユニット本体１１に回収された内気は、換気ユニット本体１１の全熱交換器１９によって、外気導入配管１２を通じて導入された外気と熱交換を行った後、屋外に排出される。すなわち、住宅１内部を暖房した状態において、吸い込み口１７から回収された暖かい内気は、熱交換により熱が吸収され、その吸収された熱は、屋外から導入された冷たい外気に加えられる。これにより、住宅１内部には、屋外より温度が上げられた外気が供給されることとなる。
また、住宅１内部を冷房した状態において、屋外から導入された暖かい外気は、熱交換により熱が吸収され、この吸収された熱は、吸い込み口１７から回収された冷たい内気に加えられる。これにより、住宅１内部には、屋外より温度が下げられた外気が供給されることとなる。
【００３６】
したがって、本実施形態によれば、次のような効果が得られる。
（１）吹き出し口１６から供給された新鮮な外気は、建物内の各部屋に流れ込んだ後、吸い込み口１７または排気ファン１８に吸い込まれて排出されるから、風量が少なくとも、各部屋内の隅々までくまなく換気ができる。また、排気ファン１８によって各部屋の内気を個別に排出できるから、各部屋から換気ユニット本体１１までのダクトを省略でき、換気ユニット１０の設置コストを低減できる。
【００３７】
（２）クローゼット１Ｋ，２Ｃおよびウォークイン・クローゼット２Ｆをクローゼット１Ｊ，２Ｄおよび納戸２Ｇと連通孔２４で連通可能としたので、これらの収納空間に排気ファン１８を設置することなく、また、これらの収納空間から排気ファン１８までダクト配管も必要なく、これらの収納空間の換気が行えるので、換気構造を低コストで設置することができる。
【００３８】
（３）排気ファン１８を収納空間としてのクローゼット１Ｊ，２Ｄおよび納戸２Ｇに設けたので、これらの収納空間内の換気を十分に行うことができ、収納空間内部における結露、カビの発生を防止できる。
【００３９】
（４）クローゼット１Ｋ，２Ｃおよびウォークイン・クローゼット２Ｆをクローゼット１Ｊ，２Ｄおよび納戸２Ｇと連通孔２４で連通可能としたので、クローゼット１Ｋ，２Ｃ，およびウォークイン・クローゼット２Ｆの換気を十分に行うことができ、これらの収納空間内部における結露、カビの発生を防止できる。
【００４０】
（５）クローゼット１Ｊ，１Ｋ，２Ｃ，２Ｄ、ウォークイン・クローゼット２Ｆおよび納戸２Ｇの内気は排気ファンから排出されるから、収納物や防虫剤等の臭気がリビング・ルーム１Ａ、副寝室２Ａ，２Ｂおよび主寝室２Ｅに漏出するのを防止できるから、快適な居住空間を実現できる。
【００４１】
（６）吹き出し口１６を廊下１Ｇに設けたので、廊下１Ｇに空気を供給することにより、この空気が廊下１Ｇに連通する各部屋に容易に流れ込んで換気できるから、換気ユニット１０の運転効率を向上でき、快適な居住空間を容易に実現できる。
【００４２】
（７）吸い込み口１７を、浴室１Ｅ、すなわち、湯気の発生や居住者の呼気等により湿度が高い場所に設けたので、吸い込み口１７から回収される空気量を調節することにより高湿度な空間を容易に換気して、快適な居住空間を実現できる。
【００４３】
（８）換気ユニット本体１１を１階の天井裏２１に収納したので、換気ユニット本体１１が天井裏２２に隠蔽され、部屋内から見えないため、部屋の内観を良好にできる。また、内気回収路である天井開口１５を換気ユニット本体１１からその直下の天井２２Ａを貫通して設けたので、内気回収路をダクト等で形成した場合に比べ、内気回収路の長さを短くできるから、換気装置１０の設置コストをさらに低減できる。
【００４４】
(９) 内気排出量を調節できるシャッター装置３０により、内気排出配管１４からの排出量を増やせば、吸い込み口１７が設けられた浴室１Ｅの換気量を増加させることができるため、必要に応じて換気量を調節することで、効率の良い換気ができる。従って、空調された部屋からの内気排出量を抑えたり、湿度の高い部屋の内気排出量を増やすという調整を行うことで、熱エネルギーのロスを抑制し空調負荷を低減することができる。
【００４５】
（10）吸い込み口１７から換気ユニット本体１１に回収された住宅１の内気と、外気導入配管１２を通じて導入された外気との間で熱交換を行うことにより、適切な温度に調節された空気を建物内に供給できるから、快適な居住空間を実現できる。
【００４６】
なお、本発明は前記実施形態に限定されるものではなく、本発明の目的を達成できる範囲での変形、改良等は本発明に含まれるものである。
例えば、本実施形態では、建物を２階建の住宅１としたが、これに限らず、３階以上の階数を有するものでもよく、また、住宅に限らず、事務所用や店舗用に建築された建物等でもよい。
また、本実施形態では、換気ユニット１０を住宅１の１階天井裏に設けたが、これに限らず、２階天井裏に設けてもよく、また、各階の天井裏に設けてもよい。
【００４７】
また、本実施形態では、隣接配置される収納空間として、クローゼット１Ｊ，１Ｋ、クローゼット２Ｃ，２Ｄおよびウォークイン・クローゼット２Ｆ、納戸２Ｇのように、２つの収納空間を隣接配置したが、３つ以上の収納空間を連通孔が孔設された仕切壁を介して隣接配置してもよい。この際、排気ファンを１つの収納空間に設置してもよいし、２つ以上の収納空間に設置してもよい。
【００４８】
また、本実施形態では、換気ユニット本体１１内に２台の送風機を設けたが、これに限らず、１台の送風機を設けてもよく、また、３台以上の送風機を設けてもよく、換気ユニット本体１１の具体的な構成は、実施にあたり適宜選択することができる。
【００４９】
また、本実施形態では、吹き出し口１６を廊下１Ｇに設けたが、これに限らず、１階階段室１Ｈやリビング・ダイニングルーム１Ａ等に設けてもよい。
また、本実施形態では、吸い込み口１７を浴室１Ｅに設けたが、これに限らず、トイレ１Ｆ、洗面所１Ｄ、キッチン１Ｂ、リビング・ダイニングルーム１Ａ等に設けてもよい。
【００５０】
また、本実施形態では、換気ユニット本体１１の直下の天井開口１５を内気回収路とし、建物内部と換気ユニット本体１１とを連通する外気供給路としての外気供給配管１３を設けたが、これに限らず、換気ユニット本体の直下の天井開口を外気供給路とし、建物内部と換気ユニット本体とを連通する内気回収路としての内気回収配管を設けてもよい。
さらに、本実施形態では、換気ユニット本体１１の直下に天井開口１５を設け、この天井開口１５を内気回収路としたが、これに限らず、換気ユニット本体を天井面から露出させ、内気回収路を省略してもよい。
【００５１】
また、本実施形態では、換気ユニット本体１１にシャッター装置３０を設置することで内気排出量を調節できるようにしたが、これに限らず、内気回収口１７から回収された内気の一部を外気供給口１６から再び屋内へ環流させる分岐路等を備え、この内気の環流量を分岐弁等を制御して調節できる環流装置や、内気排出配管１４等に、配管の内径を変化させることで配管を通過する内気の流動抵抗を変動させ、内気排出量を調節できる抵抗装置等を設置してもよい。このような装置を設置することで、熱エネルギーのロスを抑制し空調負荷を低減することができる。
【００５２】
また、換気ユニット１０および排気ファン１８の運転は、それぞれ手動で調節するものであってもよいし、自動で調節する自動制御機能を備えたものであってもよい。
さらに、換気ユニット１０は、換気機能のみならず、冷房機能や暖房機能、空気調整機能、消臭・脱臭機能、香り空調機能、防塵・防花粉機能等を併せ持ったものであってもよい。
【００５３】
【発明の効果】
本発明の換気構造によれば、次のような効果が得られる。
すなわち、外気供給路から供給された外気は、建物内の各部屋に流れ込み、部屋の内気と混合され、その一部は部屋に備えられた収納空間に流入した後に、直接に、あるいは、仕切壁に設けられた連通孔から他の収納空間を通って、個別排出路から排出されので、各部屋および各収納空間の中をくまなく換気でき、収納空間の内気が部屋に流れ出すことがなく居室空間の快適性が維持できる。また、隣接した収納空間同士を仕切壁に設けた連通孔で連通可能としたことで、個別排出路が設けられていない収納空間の内気も他の収納空間の個別排出路を通じて排出されるから、収納空間ごとに個別排出路または個別排出路までのダクト配管を設置しなくてもよいので、換気構造の設置コストを低減できる。
【００５４】
また、外気供給路および内気回収路をそれぞれ、単一の経路で外気供給口および内気回収口に連結することとしたので、各部屋まで複数の経路でダクト配管を設置した場合と比較して、ダクト配管を省略できるため、換気ユニットの設置コストを低減できる。また、外気供給口と内気回収口とは、互いに離れた位置に設置されるので、外気供給口から供給された外気が建物内部に行き渡る前に内気回収口から回収されることがなく、建物内部の隅々まで換気することができる。
【００５５】
さらに、ある１つの部屋に２つ以上の収納部が隣り合って設置されている場合に、各々の収納部に個別排出路を設置しなくても、少なくとも１つの収納部に個別排出路が設けられていれば、個別排出路が設けられていない収納空間の内気も連通孔を通じて排出されるので、個別排出路の設置数を削減しコストを低減できる。
【００５６】
また、異なる２つ以上の部屋それぞれに備えられた収納部が隣り合って設置されている場合に、各々の収納部に個別排出路を設置しなくても、少なくとも１つの収納部に個別排出路が設けられていれば、個別排出路が設けられていない収納空間の内気も連通孔を通じて排出されるので、個別排出路の設置数を削減しコストを低減できる。
【００５７】
また、部屋に備えられた収納部と部屋全体を収納空間とした収納室とが隣り合って設置されている場合に、各々の収納部および収納室に個別排出路を設置しなくても、少なくとも１つの収納部または収納室に個別排出路が設けられていれば、個別排出路が設けられていない収納空間の内気も連通孔を通じて排出されるので、個別排出路の設置数を削減しコストを低減できる。
【００５８】
さらに、外気供給路の外気供給口を建物内の共用空間に設けたので、共用空間に空気を供給することにより、この空気が共用空間に連通する各部屋に容易に流れ込んで換気できるから、換気ユニットの運転効率を向上でき、快適な居住空間を容易に実現できる。
【００５９】
また、内気回収路を通じて換気ユニット本体に回収された内気と、外気導入路を通じて導入された外気との間で熱交換を行うことにより、適切な温度に調節された空気を建物内に供給できるので、快適な居住空間を実現できるとともに、空調された内気を屋外へ排出することによる熱エネルギーのロスを抑制できる。
【図面の簡単な説明】
【図１】本発明の一実施形態に係る換気構造が適用された建物を示す断面図である。
【図２】前記実施形態に係る建物の１階部分の平面図である。
【図３】前記実施形態に係る建物の２階部分の平面図である。
【図４】前記実施形態に係る換気ユニット本体の断面図である。
【図５】前記実施形態に係る吹き出し口の断面図である。
【図６】従来例に係るセントラル換気方式が適用された建物を示す概略模式図である。
【符号の説明】
１      住宅（建物）
１Ｇ    廊下（共用空間）
１Ｊ，１Ｋ    クローゼット（収納空間、収納部）
２Ｃ，２Ｄ    クローゼット（収納空間、収納部）
２Ｆ    ウォークイン・クローゼット（収納空間、収納部）
２Ｇ    納戸（収納空間、収納室）
１０    換気ユニット
１１    換気ユニット本体
１２    外気導入配管（外気導入路）
１３    外気供給配管（外気供給路）
１４    内気排出配管（内気排出路）
１５    天井開口（内気回収路）
１６    吹き出し口（外気供給口）
１７    吸い込み口（内気回収口）
１８    排気ファン（個別排出路）
１９    全熱交換器（熱交換機能）
２１    天井裏
２２Ａ    天井
２３    仕切壁
２４    連通孔
【図１】
0003924478.tif 000002
【図２】
0003924478.tif 000003
【図３】
0003924478.tif 000004
【図４】
0003924478.tif 000005
【図５】
0003924478.tif 000006
【図６】
0003924478.tif 000007